(57)【要約】【課題】封筒や葉書などの被転写基材上に表示された磁気情報を隠蔽できる磁気転写フィルムを提供する。【解決手段】可撓性フィルム１１上に、剥離層１２と、被転写基材Ｋ上に熱転写される磁気情報を隠蔽する隠蔽層１３と、磁気情報を被転写基材Ｋ上に熱転写する磁性体層１４と、被転写基材Ｋ上に接着される粘着層１５とを順次積層したことを特徴とする磁気転写フィルム１０を提供する。【選択図】図１
2012048781.tif 000002
【特許請求の範囲】
【請求項１】
可撓性フィルム上に、剥離層と、被転写基材上に熱転写される磁気情報を隠蔽する隠蔽層と、前記磁気情報を前記被転写基材上に熱転写する磁性体層と、前記被転写基材上に接着される粘着層とを順次積層したことを特徴とする磁気転写フィルム。
【請求項２】
前記隠蔽層は印刷可能な不透明材料を用いたことを特徴とする請求項１に記載の磁気転写フィルム。
【発明の詳細な説明】
【技術分野】
【０００１】
本発明は、磁気情報を被転写基材上に熱転写するための磁性体層と、この磁性体層によって熱転写された磁気情報を隠蔽する隠蔽層とを少なくとも可撓性フィルム上に有する磁気転写フィルムに関するものである。
【背景技術】
【０００２】
一般的に、封筒や葉書などの郵便物には、受取人の属性に合わせた個人情報として宛先情報や通知情報などが磁気情報の形態で表示されている場合がある。
【０００３】
この場合の一例として、証券会社などから送られる封筒の表面には、受取人の属性に合わせて黒色の磁気文字列による磁気情報が印刷されており、この磁気文字列による磁気情報は文字画像として目視で読み取ることができると共に、磁気ヘッドにより電気的に読み取り可能になっている。
【０００４】
また、他例として、封筒や葉書などに表示された磁気情報がコード化されている場合には、磁気情報が印刷されていることは目視できるが、磁気情報の内容は目視では読み取り不能になっている。
【０００５】
この際、被転写基材となる封筒や葉書などの郵便物上に磁気情報を熱転写するための熱転写磁気記録媒体が開発されている（例えば、特許文献１参照）。
【０００６】
特許文献１に開示された従来の熱転写磁気記録媒体では、支持体上に、Ｔｇ（ガラス転移温度）が９０〜１７０°Ｃである樹脂と融点が９０〜１５０°Ｃであるワックス粒子が含まれる耐熱透明層と、磁性体顔料とバインダーからなる熱転写性磁気インク層とがこの順で積層されている。
【０００７】
そして、この熱転写磁気記録媒体の支持体の裏面をサーマルヘッドにより加熱し、加熱した部分の熱転写性磁気インク層のインクが被転写基材上に熱転写されることで、熱転写化に伴う印字の耐熱性などの向上を図りながら、被転写基材上に磁気情報が表示（印刷）できる旨が記載されている。
【先行技術文献】
【特許文献】
【０００８】
【特許文献１】特開２００９−６６５６号公報
【発明の概要】
【発明が解決しようとする課題】
【０００９】
ところで、図５に示した如く、特許文献１に開示された従来の熱転写磁気記録媒体を用いてサーマルヘッドにより封筒や葉書などの被転写基材Ｋ上に熱転写性磁気インク層のインクを熱転写して磁気情報ＭＪを表示できるが、被転写基材Ｋ上に露出表示された磁気情報ＭＪが前述したような磁気文字列を用いた場合に、磁気情報ＭＪが表示されている黒色部位は被転写基材Ｋの周囲に対して色が異なるためにデザイン的に見苦しいものである。
【００１０】
また、被転写基材Ｋ上に表示された磁気情報ＭＪがコード化されている場合に、磁気情報ＭＪが印刷されているということを目視できてしまうために、心無い人間が故意に被転写基材Ｋ上に表示された磁気情報ＭＪを不図示の磁気インク文字読出装置を介して不正に読み出すことが可能になるので、磁気情報ＭＪに関する個人情報の秘密漏洩が問題となると共に、この場合でも被転写基材Ｋ上に表示された磁気情報ＭＪはデザイン的に見苦しいものである。
【００１１】
そこで、磁気転写フィルムを用いてサーマルヘッドにより封筒や葉書などの被転写基材上に磁気情報を熱転写する際に、被転写基材に表示された磁気情報を隠蔽でき、且つ、磁気情報を隠蔽した時にこの隠蔽箇所に対して装飾性を併せ持たせることができる磁気転写フィルムを提供することを目的とする。
【課題を解決するための手段】
【００１２】
本発明は上記課題に鑑みてなされたものであり、請求項１に記載の発明は、可撓性フィルム上に、剥離層と、被転写基材上に熱転写される磁気情報を隠蔽する隠蔽層と、前記磁気情報を前記被転写基材上に熱転写する磁性体層と、前記被転写基材上に接着される粘着層とを順次積層したことを特徴とする磁気転写フィルムである。
【００１３】
また、請求項２に記載の発明は、請求項１に記載の磁気転写フィルムにおいて、
前記隠蔽層は印刷可能な不透明材料を用いたことを特徴とする磁気転写フィルムである。
【発明の効果】
【００１４】
請求項１記載の磁気転写フィルムによると、この磁気転写フィルムを用いて封筒や葉書などの被転写基材上に磁気文字列による磁気情報を表示した際に、磁気情報が隠蔽層によって隠蔽されるので、隠蔽された部位に磁気情報が熱転写されていることを目視できなくなるために、デザイン的な見苦しさが生じない。
【００１５】
また、被転写基材上に表示された磁気情報がコード化されている場合には、磁気情報が隠蔽層によって隠蔽されることにより、磁気情報に関する個人情報の秘密漏洩を防止できると共に、隠蔽された磁気情報は目視できないのでデザイン的な見苦しさが生じない。
【００１６】
また、請求項２記載の磁気転写フィルムによると、隠蔽層上に適宜な図柄を白黒印刷又はカラー印刷できるので、隠蔽層に装飾性を併せ持たせることができる。
【図面の簡単な説明】
【００１７】
【図１】（ａ），（ｂ）は本発明に係る磁気転写フィルムを示した構成図，外観斜視図である。
【図２】本発明に係る磁気転写フィルムを用いてサーマルヘッドにより封筒や葉書などの被転写基材上に磁気情報を熱転写する状態を説明するための図である。
【図３】本発明に係る磁気転写フィルムを熱転写された後の被転写基材を示した構成図である。
【図４】本発明に係る磁気転写フィルムを熱転写された後の被転写基材において、磁気情報を不透明な隠蔽層で隠蔽した状態を示した図である。
【図５】従来の熱転写磁気記録媒体を用いてサーマルヘッドにより封筒や葉書などの被転写基材上に熱転写性磁気インク層のインクを熱転写した後に、磁気情報が露出表示された状態を示した図である。
【発明を実施するための形態】
【００１８】
以下に本発明に係る磁気転写フィルムの一実施例について図１〜図４を参照して詳細に説明する。
【００１９】
本発明に係る磁気転写フィルムは、封筒や葉書などの被転写基材上に磁気情報を例えばサーマルヘッドにより熱転写する際に、被転写基材に表示された磁気情報の部位に対して装飾性を併せ持たせて遮蔽できるように構成されていることを特徴とするものである。
【００２０】
この際、本発明に係る磁気転写フィルムを用いて被転写基材上に表示される磁気情報は、前述したように磁気文字列を用いて文字画像として目視により読み取り可能で且つ磁気ヘッドにより電気的に読み取り可能である一例の形態と、コード化されて磁気ヘッドのみにより電気的に読み取り可能である他例の形態のいずれでも良いものである。
【００２１】
尚、被転写基材上に表示された磁気文字列による磁気情報は、例えば、ＪＩＳ  Ｘ  ９００２−１９８０  磁気インキ文字読取用字体及び印字仕様（Ｅ１３Ｂ）などによって規格が定められているので、この磁気情報（磁気文字列）を電気的に読み出す場合には磁気インク文字読出装置（ＭＩＣＲ：Ｍａｇｎｅｔｉｃ  Ｉｎｋ  Ｃｈａｒａｃｔｅｒ  Ｒｅｃｏｇｎｉｔｉｏｎ）内に設けた磁気ヘッドを用いれば良いものである
【実施例】
【００２２】
図１（ａ）に示した如く、本発明に係る磁気転写フィルム１０では、可撓性フィルム１１の一方の面１１ａ上に、剥離層１２と、被転写基材Ｋ上に熱転写される磁気情報ＭＪ（図４）を隠蔽する隠蔽層１３と、磁気情報ＭＪを例えばサーマルヘッド３２の加熱により被転写基材Ｋ上に熱転写する磁性体層１４と、被転写基材Ｋ上に接着される粘着層１５とがこの順で積層されている。
【００２３】
この際、可撓性フィルム１１の一方の面１１ａとは反対側の他方の面１１ｂ側が後述するようにサーマルヘッド３２を当接させる側となっており、且つ、粘着層１５側が封筒や葉書などの被転写基材Ｋ上に接着される側になっている。
【００２４】
尚、サーマルヘッド３２を用いずに不図示の熱プレスなどにより磁気転写フィルム１０を被転写基材Ｋ上に熱転写する方法も可能であり、この場合には熱転写後に不図示の磁気ヘッドにより磁性体層１４を磁化する方法である。
【００２５】
そして、図１（ｂ）に示した如く、上記構成による磁気転写フィルム１０は、長尺且つ帯状に形成された後に、供給リール１６に巻回された状態でユーザに提供されている。
【００２６】
ここで、本発明に係る磁気転写フィルム１０の各構成部材について順を追って説明する。
【００２７】
まず、磁気転写フィルム１０の基台となる可撓性フィルム１１は、ＰＰ（ポリプロピレン）や、ＰＥＴ（ポリエチレンテレフタノール）とか、ＰＥ（ポリエステル）などの樹脂フィルム材を用いている。この際、樹脂フィルム材は、後述する被転写基材Ｋへの熱転写時にサーマルヘッド３２が当接しても破損しない厚みに設定されており、例えば、厚みが１０〜５０μｍ、幅が６ｍｍ程度で長尺且つ帯状に裁断されているが、樹脂フィルム材の幅は被転写基材Ｋ上に熱転写する磁気情報ＭＪの面積に応じて適宜設定すれば良いものである。
【００２８】
次に、可撓性フィルム１１上に設けられる剥離層１２は、透明なバインダー樹脂を用いており、このバインダー樹脂は１種単独又は２種以上混合して使用しても良く、透明なバインダー樹脂の中でも、アクリル系樹脂が好ましい。この際、剥離層１２の膜厚は０．５〜３．０μｍ程度に薄く膜付けされている。この剥離層１２は被転写基材Ｋへの熱転写時に可撓性フィルム１１側に残り、隠蔽層１３との間で剥離されることが望ましいが、膜厚が薄いので可撓性フィルム１１から離れて隠蔽層１３に付着しても何らの支障も生じない。
【００２９】
次に、剥離層１２上に設けられる隠蔽層１３は、被転写基材Ｋ上に熱転写される磁性体層１４による磁気情報ＭＪ（図４）を隠蔽するために不透明材料を用いている。
【００３０】
上記した隠蔽層１３の不透明材料は、隠蔽剤とバインダー樹脂とからなり、隠蔽剤としては、酸化チタン、酸化亜鉛などの隠蔽性の高い顔料を用いているが、特に酸化チタンが良好である。
【００３１】
この際、市販されている隠蔽剤としては、ＴＩＴＯＮＥＳＲ−１、同６５０、同Ｒ６２Ｎ、同Ｒ３Ｌ、同Ｒ７Ｅ｛以上、堺化学工業（株）製｝、
クロノスＫＲ−３１０、同ＫＲ−３８０、同４８０｛以上、チタン工業（株）製｝、
タイピュアＲ−９００、同Ｒ−６０２、同Ｒ−９６０、同Ｒ−９３１｛以上、デュポン・ジャパン、リミテッド製｝」、
ＴＩＴＡＮＩＸＪＲ３０１、同ＪＲ８０５、同ＪＲ６０２、同ＪＲ７０１、同ＪＲ８００｛以上、テイカ（株）製｝などの酸化チタンが挙げられる。
【００３２】
また、隠蔽剤の使用量は、隠蔽剤組成物全体に対して３０〜８０重量％が好ましく、隠蔽剤以外の残りはバインダーとしてのアクリル樹脂である。
【００３３】
そして、隠蔽層１３は、隠蔽剤として酸化チタンなどの白色顔料を使用して膜厚を３０〜５０μｍ程度に膜付けすれば、白色隠蔽層が形成されるので、後述するように、この白色隠蔽層上に白黒印刷やカラー印刷などが可能となる。
【００３４】
次に、隠蔽層１３上に設けられる磁性体層１４は、Ｂａフェライトなどの磁性粉をバインダーに溶かして塗布しており、膜厚は１〜１０μｍ程度であり、後述するようにサーマルヘッド３２を加熱することで、磁性体層１４により磁気情報（磁気文字列）ＭＪが熱転写される。
【００３５】
次に、磁性体層１４上に設けられる粘着層１５は、被転写基材Ｋへの熱転写時にサーマルヘッド３２の加熱によって被転写基材Ｋ上に接着できるものであれば良く、ゴム系またはアクリル樹脂系の粘着剤を用いて薄く塗布している。
【００３６】
ここで、上記のように構成した本発明に係る磁気転写フィルム１０を用いて、封筒や葉書などの被転写基材Ｋ上に磁気情報ＭＪを熱転写する動作について、先に用いた図１と、新たな図２〜図４とを用いて説明する。
【００３７】
図２に示した如く、ユーザは、封筒や葉書などの郵便物に宛先情報や通知情報などに表示するために、宛先情報や通知情報などに対応して磁気文字列による磁気情報ＭＪをパソコン２０により作成する。
【００３８】
この後、パソコン２０で作成した磁気情報（磁気文字列）ＭＪを、熱転写印刷装置３０内に設けたヘッド駆動回路３１に供給して、このヘッド駆動回路３１でサーマルヘッド３２内に設けた複数の発熱素子（図示せず）に適したヘッド駆動信号３１ａを生成し、このヘッド駆動信号３１ａをサーマルヘッド３２内に設けた複数の発熱素子に選択的に印加している。
【００３９】
一方、熱転写印刷装置３０内には、サーマルヘッド３２と対向してプラテンローラ３３がプラテン駆動モータ３４により時計方向に回転自在に設けられていると共に、第１，第２搬送ローラ対３５，３６によって封筒や葉書などの被転写基材Ｋがサーマルヘッド３２とプラテンローラ３３との間に送り込まれて、右方に向かって搬送されている。
【００４０】
また、供給リール１６に巻回された磁気転写フィルム１０は、粘着層１５側を被転写基材Ｋに向け、且つ、可撓性フィルム１１の他方の面１１ｂ側をサーマルヘッド３２に向けて、サーマルヘッド３２とプラテンローラ３３との間で被転写基材Ｋ上に重ね合わされた後に巻取リール１７に巻き取られている。
【００４１】
この状態でサーマルヘッド３２を、磁気転写フィルム１０と被転写基材Ｋとを重ね合わせてプラテンローラ３３側に不図示の押圧手段を介して押圧しながら被転写基材Ｋをプラテンローラ３３の回転に伴って右方に搬送させ、且つ、ヘッド駆動回路３１からのヘッド駆動信号３１ａに応じてサーマルヘッド３２内に設けた複数の発熱素子を選択的に加熱することで、被転写基材Ｋ上に磁性体層１４によって磁気情報（磁気文字列）ＭＪが熱転写される。
【００４２】
そして、図３に拡大して示した如く、熱転写された後の被転写基材Ｋ上には、粘着層１５と、磁性体層１４と、不透明な隠蔽層１３とがこの順で積層される。
【００４３】
尚、図３は、図１に示した熱転写前の磁気転写フィルム１０と比較して熱転写後の状態を模式的に示したものであり、実際にはサーマルヘッド３２内に設けた複数の発熱素子により印刷されたドット状の磁気文字に応じて各層１３〜１５が積層されているものである。
【００４４】
尚また、剥離層１２は可撓性フィルム１１（図１）側に残されて巻取リール１７（図２）に巻き取られるか、又は、隠蔽層１３側に付着されるので剥離層１２の図示を省略しているが、いずれの場合でも剥離層１２の膜厚は薄いので何等の影響も生じない。
【００４５】
更に、図４に示した如く、本発明に係る磁気転写フィルム１０（図１）を用いて封筒や葉書などの被転写基材Ｋ上に磁気文字列による磁気情報ＭＪを表示した際に、磁気情報ＭＪが不透明な隠蔽層１３によって隠蔽されるので、隠蔽された部位に磁気情報ＭＪが熱転写されていることを目視できなくなるために、デザイン的な見苦しさが生じない。
【００４６】
また、被転写基材Ｋ上に表示された磁気情報ＭＪがコード化されている場合には、磁気情報ＭＪが隠蔽層１３によって隠蔽されることにより、磁気情報ＭＪに関する個人情報の秘密漏洩を防止できると共に、隠蔽された磁気情報ＭＪは目視できないのでデザイン的な見苦しさが生じない。
【００４７】
更に、印刷可能な隠蔽層１３の一例として、例えば酸化チタンなどの白色顔料を用いて白色隠蔽層とすれば、この白色隠蔽層上に適宜な図柄を白黒印刷又はカラー印刷できるので、白色隠蔽層に装飾性を併せ持たせることができる。この際、白色隠蔽層上に図柄を印刷する場合には、周知のインクジェット印刷装置や、レーザー印刷装置とか、熱転写印刷装置などを適用して白黒印刷又はカラー印刷すれば、デザイン的な効果が顕著に得られる。
【符号の説明】
【００４８】
１０…磁気転写フィルム、
１１…可撓性フィルム、１１ａ…一方の面、１１ｂ…他方の面、
１２…剥離層、１３…隠蔽層、１４…磁性体層、１５…粘着層、
１６…供給リール、１７…巻取リール、
２０…パソコン、
３０…熱転写印刷装置、３１…ヘッド駆動回路、３２…サーマルヘッド、
３３…プラテンローラ、３４…プラテン駆動モータ
３５…第１の搬送ローラ対、３６…第２の搬送ローラ対、
Ｋ…被転写基材、ＭＧ…磁気情報。
【図１】
2012048781.tif 000003
【図２】
2012048781.tif 000004
【図３】
2012048781.tif 000005
【図４】
2012048781.tif 000006
【図５】
2012048781.tif 000007